(57)【要約】【課題】障害物回避を自動的に行い、作業を効率化するとともに、オペレータの心理的な負担を軽減し、また暗夜、積雪など障害物の視認が困難な状況であっても作業を効率化する、作業車両の作業機制御方法及び作業機制御装置を提供すること。【解決手段】作業車両において、デジタルマップとＧＰＳとを備え、障害物の回避開始位置を判断して、ブレードの障害物側では障害物を回避し、非障害物側では従前の作業ラインを維持し、かつ車体とブレードとの干渉を排除しつつ回避駆動を行い、適切な回避姿勢として障害物を回避させ、また、障害物からの離脱開始位置と判断するとブレードの復帰駆動を開始して、ブレードの非障害物側では従前の作業ラインを維持し、かつ車体とブレードとの干渉を防止しつつ、ブレードの障害物側を従前の作業ラインへ復帰させ、この間ブレードと路面との押付け力を一定に保持する制御方法と作業機制御装置。【選択図】　　　　図５
2004076499.tif 000002
【特許請求の範囲】
【請求項１】
作業車両の作業機制御方法において、走行作業中に作業車両の作業機のブレード（３）と衝突するおそれのある障害物の位置・形状をあらかじめ記憶し、ＧＰＳ（２３）から得た作業車両の現在位置を基に、前記ブレード（３）の前記障害物（Ｐ１）側のブレード端部においては、当初設定した作業ライン（Ｐ３ａ）を形成する位置から離脱させて前記障害物（Ｐ１）との衝突を回避する位置とするとともに、前記ブレード（３）の非障害物側となる端部（３ｂ）においては、当初設定した非障害物側の作業ライン（Ｐ３ｂ）を引き続き形成する位置に維持するようにブレード（３）を制御することを特徴とする作業車両の作業機制御方法。
【請求項２】
作業車両の作業機制御方法において、作業車両の作業機はブレード（３）を備え、書込および消去自在なデジタルマップ（２２）を備え、予め前記デジタルマップ（２２）に書き込まれた、走行作業中にブレード（３）と衝突するおそれのある障害物の位置・形状、および、別途備えたＧＰＳ（２３）から得た作業車両の現在位置を基に、前記障害物の位置・形状と現在位置とをマップ表示装置（２２ａ）によりオペレータに表示するとともに、
前記デジタルマップ（２２）へ書き込まれた前記障害物の中で、最も近い障害物（Ｐ１）の位置・形状と前記現在位置とを用いて、前記ブレード（３）の前記障害物（Ｐ１）側の端部（３ａ）においては、当初設定した作業ライン（Ｐ３ａ）を形成する位置から離脱させて前記障害物（Ｐ１）との衝突を回避する位置とするとともに、前記ブレード（３）の非障害物側となる端部（３ｂ）においては、当初設定した非障害物側の作業ライン（Ｐ３ｂ）を引き続き形成する位置に維持する回避姿勢（Ｐ２）の設定、および、
前記ブレード（３）の非障害物側端部（３ｂ）を当初設定した前記作業ライン（Ｐ３ｂ）を形成する位置に維持しつつ、前記ブレード（３）と車体との干渉を発生させることなく、前記回避姿勢（Ｐ２）へ前記ブレード（３）を駆動する回避経路（Ｐ３ａ＆＃０；）の設定を行い、
前記障害物（Ｐ１）に対する回避開始位置（Ｐ４）に到達したと判断すると、前記回避経路（Ｐ３ａ＆＃０；）により、ブレード（３）を前記回避姿勢（Ｐ２）へ駆動して前記障害物（Ｐ１）を回避する回避制御を行ない、
また、前記障害物（Ｐ１）から離脱し、復帰開始位置（Ｐ５）に到達したと判断すると、前記ブレード（３）を前記回避制御の回避経路（Ｐ３ａ＆＃０；）とは逆の駆動順序による復帰経路（Ｐ３ａ＆＃０；＆＃０；）によって駆動し、前記ブレード（３）の非障害物側の端部（３ｂ）を当初設定した前記作業ライン（Ｐ３ｂ）を形成する位置に維持しつつ、前記ブレード（３）と車体との干渉を発生させることなく、前記ブレード（３）の前記障害物側の端部（３ａ）を、当初設定した作業ライン（Ｐ３ａ）を形成する位置に復帰させる復帰制御を行なうことを特徴とする作業車両の作業機制御方法。
【請求項３】
請求項１又は請求項２の作業機制御方法において、路面に対するブレード押付力を、制御開始時に記憶した値に保持することを特徴とする作業車両の作業機制御方法。
【請求項４】
請求項１又は請求項２又は請求項３の作業機制御方法において、前記ブレード（３）を前記回避姿勢へ駆動するに先だって、前記マップ表示装置（２２ａ）および音響警報装置（３３）へ制御実施信号を出力し、前記ブレード（３）が前記回避姿勢（Ｐ２）から設定した前記作業ライン（Ｐ３ａ）、（Ｐ３ｂ）に復帰すると、前記制御実施信号を解除することを特徴とする作業車両の作業機制御方法。
【請求項５】
請求項１〜４のうちのいずれかに記載の作業機制御方法において、前記作業機の回避経路（Ｐ３ａ＆＃０；）の設定を試みても、前記ブレード（３）と車体との干渉が避けられない場合、直ちに作業機制御装置による前記回避制御および復帰制御を停止して、手動操作可能とし、前記マップ表示装置（２２ａ）および音響警報装置（３３）へ干渉警報を出力し、前記制御実施信号の出力を停止することを特徴とする作業車両の作業機制御方法。
【請求項６】
請求項１〜５のうちのいずれかに記載の作業機制御方法において、前記障害物（Ｐ１）の回避が不可能であると判断した場合に、直ちに作業機制御装置による前記回避制御および復帰制御を停止して、手動操作可能とし、前記マップ表示装置（２２ａ）および音響警報装置（３３）へ制御停止警報を出力し、前記制御実施信号の出力を停止することを特徴とする作業車両の作業機制御方法。
【請求項７】
請求項１〜６のうちのいずれかに記載の作業機制御方法において、オペレータが前記作業機操作手段（３１）の操作を行なうか、あるいは前記回避制御設定手段（３２）の操作を解除すると、直ちにオペレータの手動操作を優先させ、作業機制御装置による前記回避制御および復帰制御を停止して、前記マップ表示装置（２２ａ）および音響警報装置（３３）への前記制御実施信号の出力を停止することを特徴とする作業車両の作業機制御方法。
【請求項８】
作業車両の作業機制御装置において、前記作業車両は車体の中央部にブレード（３）と、前記ブレード（３）を回転および横送りする油圧駆動機構と、前記油圧駆動機構を制御する操作弁（１５）とで構成される油圧装置（１０）を備え、
前記作業機制御装置（２０）はコントローラ（２１）と、作業車両の現在位置を出力するＧＰＳ（２３）とを備え、
前記コントローラ（２１）は、走行作業中のブレード（３）に衝突するおそれのある障害物の位置・形状をあらかじめ記憶し、記憶した障害物の位置・形状および前記ＧＰＳ（２３）から得た作業車両の現在位置に基いて、前記ブレード（３）の前記障害物（Ｐ１）側の端部においては、当初設定した作業ライン（Ｐ３ａ）を形成する位置から離脱させて前記障害物（Ｐ１）との衝突を回避する位置とし、前記ブレード（３）の非障害物側となる端部においては、当初設定した非障害物側の作業ライン（Ｐ３ｂ）を引き続き形成する位置に維持するようにブレード（３）の操作信号を操作弁（１５）へ出力することを特徴とする作業車両の作業機制御装置。
【請求項９】
作業車両の作業機制御装置において、前記作業車両は車体の中央部に備えたブレード（３）を回転および横送りする油圧駆動機構と、オペレータの操作する作業機操作手段（３１）あるいはコントローラ（２１）からの信号により前記油圧駆動機構を制御する操作弁（１５）とで構成される油圧装置（１０）を備え、
また、前記作業機制御装置（２０）はコントローラ（２１）と、作業車両の現在位置を出力するＧＰＳ（２３）と、走行作業中のブレード（３）に衝突するおそれのある障害物の位置・形状、およびＧＰＳ（２３）から得た現在位置を書込および消去自在なデジタルマップ（２２）と、デジタルマップ表示装置（２２ａ）とを備え、
前記コントローラ（２１）は、予め前記デジタルマップに書き込まれた障害物の位置・形状および前記ＧＰＳ（２３）から得た作業車両の現在位置を前記マップ表示装置（２２ａ）によりオペレータに表示させるとともに、
オペレータによって前記作業機操作手段（３１）に備えられた回避制御設定手段（３２）が操作されると、作業車両の中心線に対するブレード両端部（３ａ）、（３ｂ）の位置を算出して、前記ブレード両端部（３ａ）、（３ｂ）の位置をそれぞれの端部に於ける作業ライン（Ｐ３ａ）、（Ｐ３ｂ）として設定し、
前記デジタルマップ（２２）に書き込まれた障害物の中で、最も近い障害物（Ｐ１）の位置・形状および前記ＧＰＳ（２３）から得た前記現在位置に基づき、前記ブレード（３）の前記障害物（Ｐ１）側の端部（３ａ）においては、当初設定した作業ライン（Ｐ３ａ）を形成する位置から離脱させて前記障害物（Ｐ１）との衝突を回避する位置とし、前記ブレード（３）の非障害物側となる端部（３ｂ）においては、当初設定した非障害物側の作業ライン（Ｐ３ｂ）を引き続き形成する位置に維持する回避姿勢（Ｐ２）の設定、および、前記ブレード（３）の非障害物側端部（３ｂ）を当初設定した前記作業ライン（Ｐ３ｂ）を形成する位置に維持しつつ、前記ブレード（３）を車体との干渉防止のため予め設けられた作動制限領域（Ｐ６）に侵入させることなく、前記回避姿勢（Ｐ２）へ前記ブレード（３）を駆動する回避経路（Ｐ３ａ＆＃０；）の設定を行うとともに、
前記障害物（Ｐ１）に対する前記回避開始位置（Ｐ４）に到達したと判断すると、
前記回避経路（Ｐ３ａ＆＃０；）により、前記ブレード（３）を前記回避姿勢（Ｐ２）へ駆動して障害物を回避させる回避信号を前記操作弁（１５）に出力して回避制御を行ない、
また、前記障害物（Ｐ１）から離脱し、復帰開始位置（Ｐ５）に到達したと判断すると、前記ブレード（３）を前記回避制御の回避経路（Ｐ３ａ＆＃０；）とは逆の駆動順序とした復帰経路（Ｐ３ａ＆＃０；＆＃０；）によって駆動し、前記ブレード（３）の非障害物側端部（３ｂ）を設定した前記作業ライン（Ｐ３ｂ）を形成する位置に維持しつつ、前記ブレード（３）を前記作動制限領域（Ｐ６）に侵入させることなく、前記ブレード（３）の前記障害物側の端部（３ａ）を、当初設定した作業ライン（Ｐ３ａ）を形成する位置に復帰させる復帰信号を操作弁（１５）へ出力して、ブレード（３）の復帰制御を行なうことを特徴とする作業車両の作業機制御装置。
【請求項１０】
請求項８又は請求項９記載の作業機制御装置において、前記コントローラ（２１）は、前記作業機操作手段（３１）に備えられた前記回避制御設定手段（３２）をオペレータが操作することによって、前記回避制御設定手段（３２）操作時における前記ブレード（３）の路面への押付け力を記憶し、前記路面への押付け力を保持させる信号を操作弁（１５）へ出力し、前記ブレード（３）の押付け力を制御することを特徴とする作業車両の作業機制御装置。
【請求項１１】
請求項８又は請求項９又は請求項１０記載の作業機制御装置において、運転室（７）に音響警報装置（３３）を備え、前記作業機制御装置の前記コントローラ（２１）は、前記ブレード（３）を前記回避姿勢へ駆動するに先だって、前記マップ表示装置（２２ａ）および前記音響警報装置（３３）へ駆動実施信号を出力し、前記復帰制御によりブレード（３）が前記作業ライン（Ｐ３ａ）、（Ｐ３ｂ）に復帰すると前記駆動実施信号の出力を解除することを特徴とする作業車両の作業機制御装置。
【請求項１２】
請求項８〜１１のうちのいずれかに記載の作業機制御装置において、前記コントローラ（２１）は、前記作動制限領域（Ｐ６）に前記ブレード（３）を侵入させない前記回避経路（Ｐ３ａ＆＃０；）の設定を試みても、侵入が避けられないと判断した場合、直ちに作業機制御装置による前記回避制御および復帰制御を停止して、手動操作可能とし、前記マップ表示装置（２２ａ）へ干渉警報を出力し、前記音響警報装置（３３）へは請求項９とは異なった音響を発生させる干渉警報を出力し、前記制御実施信号の出力を停止することを特徴とする作業車両の作業機制御装置。
【請求項１３】
請求項８〜１２のうちのいずれかに記載の作業機制御装置において、前記コントローラ（２１）は、前記障害物（Ｐ１）への到達所要時間と、前記回避姿勢へ駆動するために必要なブレード（３）の駆動所要時間とを演算し、前記障害物（Ｐ１）の回避が不可能であると判断した場合に、直ちに作業機制御装置による前記回避制御および復帰制御を停止して、手動操作可能とし、前記マップ表示装置（２２ａ）へ制御停止警報を出力し、前記音響警報装置（３３）へは請求項９および請求項１０とは異なった音響を発生させる制御停止警報を出力し、前記制御実施信号の出力を停止することを特徴とする作業車両の作業機制御装置。
【請求項１４】
請求項８〜１３のうちのいずれかに記載の作業機制御装置において、前記コントローラ（２１）は、オペレータが前記作業機操作手段（３２）を操作した信号、あるいは前記回避制御設定手段（３２）の操作を解除した信号、あるいは車体進行方向が変化した信号を受信すると、割り込み信号と判断し、直ちにオペレータの手動操作を優先させ、作業機制御装置による前記回避制御および復帰制御を停止して、前記駆動実施信号の出力を解除することを特徴とする作業車両の作業機制御装置。
【発明の詳細な説明】
【０００１】
【発明の属する技術分野】
本発明は、作業車両の作業機制御方法及び作業機制御装置に関し、特にはブレードを備えた作業車両の障害物回避を効率的に行う作業車両の作業機制御方法及び作業機制御装置に関する。
【０００２】
【従来の技術】
作業車両の一例であるモータグレーダ１Ａは、図８に示すように、モータグレーダ１Ａの前部フレーム６の前端部にドローバ５が揺動自在に取付けられ、ドローバ５に回転自在に取付けられたサークル４により、ブレード３が横方向に滑動自在に支持されて作業機２を構成している。ドローバ５はリフトシリンダ１１ａ、１１ｂの同期した伸縮によって上下に昇降し、リフトシリンダ１１ａ、１１ｂの異なった伸縮によって上下方向に傾動し、またドローバシフトシリンダ１４の伸縮によって車体進行方向に対して左右に揺動する。サークル４は油圧モータ１３によって駆動され、ブレード３はドローバ５に対し車体上方から見て時計方向／反時計方向に回転する。このようにして、モータグレーダ１Ａは車体の中央部に複数の油圧シリンダおよび油圧モータ等の油圧駆動機構によって駆動されるブレード３を備えているので、ブレード３の上下（昇降）、横送り（シフト）、回転、傾きなどの駆動が自在に行え、路面・広場の整地・除雪、法面の切り取り・仕上げなどの精緻な作業に用いられる。
【０００３】
これら作業の多くは公路上で行なわれるため、オペレータは走行させつつ、作業状況を監視し、作業機操作手段のレバーを操作してブレード３を作業状況に適した位置に駆動し、また、公路上の歩行者および他車両を回避し、公路上に存在するマンホールのふた、センターラインや路肩から突出したキャッツアイ、路面のジョイントなどの障害物からブレード３を回避させるため細心の注意が必要となる。
【０００４】
図９、図１０、図１１を用いて作業車両であるモータグレーダ１Ａが路面の除雪を行なう作業例を説明する。図９、図１０、図１１はいずれも作業状況を上方から見た図で、モータグレーダ１Ａは図の右から左へ走行している。図１０、図１１には移動中のブレード３の位置を２点鎖線で示している。
【０００５】
例えば、道路の除雪作業を行なう場合、オペレータは積雪量に応じてブレード３の昇降を調整し、路面の幅に応じてブレード３の回転角度と横送り量とを調整する。また、路面の傾きに応じてブレード３の左右の昇降量を変更して傾きを調整する。また、路面へ固着した雪を適切に排除するため、所望の押付力でブレード３を路面に押付ける。
【０００６】
図９は、モータグレーダ１Ａが障害物のない路面の除雪を行なう状態を示し、ブレード３の両端部３ａ、３ｂは作業ラインＰ３ａ、Ｐ３ｂに示す所望の幅で除雪を行なっている。
【０００７】
しかし、道路上には前記したように障害物が各所に存在しており、例えば図１０に示すように、所望の幅で除雪中に、障害物Ｐ１が進行方向の左側となる路肩に存在する場合、障害物を回避するため、オペレータが不用意にブレード３を進行方向に対して右に横送りすると、進行方向に対して右側となるセンターライン側にブレード右端３ｂが突出し、人や車、道路施設等に損傷を与える恐れがある
【０００８】
つまり、図１０に示すように、ブレード３の横送りのみを行なって路肩の障害物Ｐ１を回避させると、作業ラインはＰ７で示すラインを描き、センターライン側にブレード右端３ｂが突出する不都合がある。
【０００９】
また、左側の路肩に存在する障害物に対し、上から見て反時計方向にブレード３を回転させて障害物回避を行なう場合、進行方向に対するブレード３の有効幅が減少し、図１１に示すように、ブレード左端３ａと同時に、センターライン側となるブレード右端３ｂに於いても除雪幅が減少する不具合が発生する。
【００１０】
つまり、図１１に示すように、ブレード３の回転のみで路肩の障害物Ｐ１を回避させると、センターライン側となるブレード右端３ｂの作業ラインはＰ８に示すラインを描き、進行方向に対するブレード３の有効幅が減少して、ブレード右端３ｂ側に於いても除雪幅が減少する不都合が発生する。また、図１１に示すように、ブレード３が回転され、ブレード左端３ａがモータグレーダ１Ａの車体に接近して車体との干渉が発生する寸前の状態が生じる。
【００１１】
従って、障害物回避においては、ブレード３の横送りとブレード３の回転とを同時に駆動して、障害物回避を行ないつつセンターライン側の作業ラインを維持し、さらに所望の押付力を保持してブレード３を路面に押付ける、高度な操作技術が必要となる。
センターライン側に障害物がある場合も同様に、横送りと回転とを同時に駆動して、障害物とは反対の側となる路肩側の作業ラインを維持し、さらに路面への押付力を保持する操作が必要となる。
【００１２】
このような路肩の障害物回避の例に於いて、障害物を回避するため反時計方向にブレード３を回転させると、図１１に示すように前記ブレード左端３ａがモータグレーダ１Ａの車体に接近して干渉が発生する恐れがあるため、障害物の回避と、障害物とは反対側のブレード右端３ｂの作業ライン維持と、路面への押付力の保持に加えて、車体との干渉にも十分な注意を払い、ブレード３の回転に加えて横送り駆動を行なう必要があり、オペレータは高度な操作技術が必要とされるとともに、周囲の交通状況によっては心理的に高度な緊張を強いられることになる。
【００１３】
障害物との衝突を回避するため、例えば特開平１０−３８５８６号公報には、「ＤＧＰＳ情報で補正された実車のＧＰＳ位置から予め記憶した複数障害物の各位置までの距離の演算を行ない、最も近い障害物までの距離が当該障害物について予め定めた警報距離内であるとき、または、警報距離外でも、最も近い障害物までの距離がその時の車速から見て障害物に対する衝突距離であるとき、オペレータが解除ボタンを押すまでは警報を自動的に繰り返す発する作業車両の障害物警報装置」が記載されている。
【００１４】
また、本出願人が出願した特願２００２−０６３７６４号においては、「走行作業中の作業機に衝突するおそれのある障害物の位置を予め消去自在かつ書き込み自在に書き込んだデジタルマップと、別途備えたＧＰＳからの位置情報を基に車体または作業機の現在位置をデジタルマップに書き込むとともに、現在位置を障害物の位置からの第１所定距離と比較し、現在位置が第１所定距離内に入ったとき、作業の障害物との非衝突所定姿勢まで、所定動作順序で作業機を駆動させる第１制御信号を出力し、現在位置が第１所定距離内から出たとき、前記第１制御信号を停止させるか、あるいは、前記所定動作順序とは逆の動作順序で作業機を駆動させる第２制御信号を出力する」構成としている。
【００１５】
【発明が解決しようとする課題】
しかしながら、前者の例では警報を発するのみであって、障害物を回避する操作については依然としてオペレータの高度な技術に依存している。また暗夜、積雪など障害物の視認が困難な状況では利用することが出来ない。
【００１６】
また、後者の例では、非衝突姿勢を明確にしておらず、障害物回避を行なう際に、障害物と反対側へのブレードの突出を避け、かつブレードと車体との干渉を防止するなど、オペレータが高度な操作技術を必要とし、周囲の交通状況によっては心理的に高度な緊張を強いられる状況を解決するには、必ずしも十分とは言えない。
【００１７】
本発明は、前記の問題点に着目してなされたものであり、障害物回避を自動的に行い、作業を効率化するとともに、オペレータの心理的な負担を軽減し、また暗夜、積雪など障害物の視認が困難な状況であっても作業を効率化する、作業車両の作業機制御方法及び作業機制御装置を提供することを目的としている。
【００１８】
【課題を解決するための手段、作用及び効果】
前記の目的を達成するために、第１発明は、作業車両の作業機制御方法において、作業車両の作業機制御方法において、走行作業中に作業車両の作業機のブレードと衝突するおそれのある障害物の位置・形状をあらかじめ記憶し、ＧＰＳから得た作業車両の現在位置を基に、前記ブレードの前記障害物側のブレード端部においては、当初設定した作業ラインを形成する位置から離脱させて前記障害物との衝突を回避する位置とするとともに、前記ブレードの非障害物側となる端部においては、当初設定した非障害物側の作業ラインを引き続き形成する位置に維持するようにブレードを制御することを特徴とする作業車両の作業機制御方法としている。
【００１９】
第１発明によると、走行作業中に作業車両の作業機のブレードと衝突するおそれのある障害物の位置・形状をあらかじめ記憶し、ＧＰＳから得た作業車両の現在位置を基に、前記ブレードの前記障害物側のブレード端部においては、当初設定した作業ラインを形成する位置から離脱させて前記障害物との衝突を回避する位置とするとともに、前記ブレードの非障害物側となる端部においては、当初設定した非障害物側の作業ラインを引き続き形成する位置に維持するようにブレードを制御するので、適切な時期に、適切な姿勢で障害物を回避でき、整地や除雪を精度良く効率的に行なえ、また車体との干渉および非障害物側の突出・引込みによる不都合が防止されて、オペレータの心理的負担の大幅な軽減が図れる。
【００２０】
第２発明は、作業車両の作業機制御方法において、ブレードを備えた作業車両は、書込および消去自在なデジタルマップを備え、予め前記デジタルマップに書き込まれた、走行作業中にブレードと衝突するおそれのある障害物の位置・形状、および、別途備えたＧＰＳから得た作業車両の現在位置を基に、前記障害物の位置・形状と現在位置とをマップ表示装置によりオペレータに表示するとともに、前記デジタルマップへ書き込まれた前記障害物の中で、最も近い障害物の位置・形状と前記現在位置とを用いて、前記ブレードの前記障害物側の端部においては、当初設定した作業ラインを形成する位置から離脱させて前記障害物との衝突を回避する位置とするとともに、前記ブレードの非障害物側となる端部においては、当初設定した非障害物側の作業ラインを引き続き形成する位置に維持する回避姿勢の設定、および、前記ブレードの非障害物側端部を当初設定した前記作業ラインを形成する位置に維持しつつ、前記ブレードと車体との干渉を発生させることなく、前記回避姿勢へ前記ブレードを駆動する回避経路の設定を行い、前記障害物に対する回避開始位置に到達したと判断すると、前記回避経路により、ブレードを前記回避姿勢へ駆動して前記障害物を回避する回避制御を行ない、また、前記障害物から離脱し、復帰開始位置に到達したと判断すると、前記ブレードを前記回避制御の回避経路とは逆の駆動順序による復帰経路によって駆動し、前記ブレードの非障害物側の端部を当初設定した前記作業ラインを形成する位置に維持しつつ、前記ブレードと車体との干渉を発生させることなく、前記ブレードの前記障害物側の端部を、当初設定した作業ラインを形成する位置に復帰させる復帰制御を行なう作業車両の作業機制御方法としている。
【００２１】
第２発明によると、予めデジタルマップに書き込まれたブレードと走行作業中に衝突するおそれのある障害物の位置・形状、および、別途備えたＧＰＳから得た現在位置とを用い、障害物側ブレードの端部を障害物との衝突を回避する位置とするとともに、ブレードの非障害物側の端部を当初設定した作業ラインを維持する位置とする回避姿勢の設定と、前記ブレードの非障害物側端部を当初設定した作業ラインに維持させつつ、前記ブレードと車体との干渉を発生させることなく、前記回避姿勢へ前記ブレードを駆動する回避経路の設定を行ない、前記障害物に対する回避開始位置に到達したと判断すると、前記障害物へ接近中に生じる進路や速度の変化に対応した前記回避姿勢と、前記回避経路とにより前記ブレードを駆動して、前記回避姿勢によって障害物を回避させる回避制御を行ない、前記障害物から離脱して、復帰開始位置に到達したと判断すると、前記ブレードの復帰駆動を開始し、前記障害物と反対の側では当初設定した作業ラインを維持し、さらに車体とブレードとの干渉を防止しつつ、前記ブレードの前記障害物側の端部を、当初設定した作業ラインに復帰させる制御を行なうので、適切な時期に、適切な姿勢で障害物を回避でき、整地や除雪を精度良く効率的に行なえ、また車体との干渉および非障害物側の突出・引込みによる不都合が防止されて、オペレータの心理的負担の大幅な軽減が図れる。
また、マップ表示装置によりオペレータは暗夜や積雪など障害物を視認できない状況でも障害物の存在を認識出来るので、オペレータの負担軽減が図れる。
【００２２】
第３発明は、第１又は第２発明の作業車両の作業機制御方法において、路面に対するブレード押付力を、制御開始時に記憶した値に保持する作業車両の作業機制御方法としている。
【００２３】
第３発明によると、第１又は第２発明の効果に加えて、前記ブレードと路面との押付け力が一定であるため、ブレードと路面との間に不必要なすきまを生じさせたり、ブレードが路面を過大な力で切削してブレードの摩耗や破損を生じさせる恐れがなく、大幅なオペレータの負担軽減が図れ、作業効率も増大する。
【００２４】
第４発明は、第１又は第２又は第３発明記載の作業車両の作業機制御方法において、前記ブレードを前記回避姿勢へ駆動するに先だって、前記マップ表示装置および音響警報装置へ制御実施信号を出力し、前記回避姿勢から設定した前記作業ラインに復帰すると前記制御実施信号を解除する作業車両の作業機制御方法としている。
【００２５】
第４発明によると、第１又は第２又は第３発明の効果に加えて、オペレータは暗夜や積雪など障害物を視認できない状況でも、回避動作が開始されたことを認識出来、さらに回避姿勢から設定した作業ラインへ復帰して一連の回避動作が終了したことを認識できるので、オペレータに違和感を与えることなく負担軽減が図れ、作業効率も増大する。
【００２６】
第５発明は、第１〜第４発明のいずれかの作業車両の作業機制御方法において、前記作業機の回避経路の設定を試みても、ブレードと車体との干渉が避けられない場合、直ちに作業機制御装置による前記回避制御および復帰制御を停止して、手動操作可能とし、前記マップ表示装置および音響警報装置へ干渉警報を出力し、前記制御実施信号の出力を停止する作業車両の作業機制御方法としている。
【００２７】
第５発明によると、第１〜第４発明のいずれかの効果に加えて、ブレードと車体との干渉が避けられない場合、不必要な損傷を防ぐため、直ちに作業機の制御を停止するとともに干渉警報を発して、オペレータに、異なった操作方法で作業機の姿勢を変換させる、方向を修正する、車両を停止させるなどの操作を促すことが出来る。
【００２８】
第６発明は、第１〜第５発明のいずれかの作業車両の作業機制御方法において、前記障害物の回避が不可能であると判断した場合に、直ちに作業機制御装置による前記回避制御および復帰制御を停止して、手動操作可能とし、前記マップ表示装置および音響警報装置へ制御停止警報を発し、前記制御実施信号の出力を停止する作業車両の作業機制御方法としている。
【００２９】
第６発明によると、第１〜第５発明のいずれかの効果に加えて、障害物の回避が不可能である場合、不必要な損傷を防ぐため、直ちに作業機の制御を停止するとともに制御停止警報を発して、オペレータに、異なった操作方法で作業機の姿勢を変換させる、方向を修正する、車両を停止させるなどの操作を促すことが出来る。
【００３０】
第７発明は、第１〜第６発明のいずれかの作業車両の作業機制御方法において、オペレータが前記作業機操作手段の操作を行なうか、あるいは前記回避制御設定手段を解除すると、直ちにオペレータの手動操作を優先させ、作業機制御装置による前記回避制御および復帰制御を停止して、前記マップ表示装置および音響警報装置への前記制御実施信号の出力を停止する作業車両の作業機制御方法としている。
【００３１】
第７発明によると、第１〜第６発明のいずれかの効果に加えて、オペレータが本発明の制御方法とは異なった操作方法または異なった設定条件によってブレードを駆動しようと意図した場合、あるいは作業機制御の中止を意図した場合、直ちにオペレータの手動操作を優先させ、かつ、手動操作可能となったことを報知するので、オペレータは意図した方法により迅速に操作を行える。
【００３２】
第８発明は、作業車両の作業機制御装置において、前記作業車両は車体の中央部にブレードと、前記ブレードを回転および横送りする油圧駆動機構と、前記油圧駆動機構を制御する操作弁とで構成される油圧装置を備え、前記作業機制御装置はコントローラと、作業車両の現在位置を出力するＧＰＳとを備え、前記コントローラは、走行作業中のブレードに衝突するおそれのある障害物の位置・形状をあらかじめ記憶し、記憶した障害物の位置・形状および前記ＧＰＳから得た作業車両の現在位置に基いて、前記ブレードの前記障害物側の端部においては、当初設定した作業ラインを形成する位置から離脱させて前記障害物との衝突を回避する位置とし、前記ブレードの非障害物側となる端部においては、当初設定した非障害物側の作業ラインを引き続き形成する位置に維持するようにブレードの操作信号を操作弁へ出力することを特徴とする作業車両の作業機制御装置としている。
【００３３】
第８発明によると、走行作業中のブレードに衝突するおそれのある障害物の位置・形状をあらかじめ記憶し、記憶した障害物の位置・形状および前記ＧＰＳから得た作業車両の現在位置に基いて、前記ブレードの前記障害物側の端部においては、当初設定した作業ラインを形成する位置から離脱させて前記障害物との衝突を回避する位置とし、前記ブレードの非障害物側となる端部においては、当初設定した非障害物側の作業ラインを引き続き形成する位置に維持するように制御を行なう構成であるから、適切な時期に、適切な姿勢で障害物を回避でき、整地や除雪を精度良く効率的に行なえ、またブレードと車体との干渉および非障害物側の突出・引っ込みによる不都合が防止され、オペレータの心理的負担の大幅な軽減が図れる。
【００３４】
第９発明は、作業車両の作業機制御装置において、前記作業車両は車体に備えたブレードを回転および横送りする油圧駆動機構と、オペレータの操作する作業機操作手段あるいはコントローラからの信号により前記油圧駆動機構を制御する操作弁とで構成される油圧装置を備え、また、前記作業機制御装置はコントローラと、現在位置を出力するＧＰＳと、ＧＰＳから得た現在位置および走行作業中のブレードに衝突するおそれのある障害物の位置・形状を書込および消去自在なデジタルマップと、デジタルマップ表示装置とを備え、前記作業機制御装置のコントローラは、前記ＧＰＳから得た作業車両の現在位置および予め前記デジタルマップに書き込まれた障害物の位置・形状を前記マップ表示装置によりオペレータに表示させるとともに、オペレータによって前記作業機操作手段に備えられた回避制御設定手段が操作されると、作業車両の中心線に対するブレード両端部の位置を算出して、前記ブレード両端部の位置をそれぞれの端部に於ける作業ラインとして設定し、前記デジタルマップに書き込まれた障害物の中で、最も近い障害物の位置・形状および前記ＧＰＳから得た現在位置に基づき、前記ブレードの前記障害物側の端部においては、当初設定した作業ラインを形成する位置から離脱させて前記障害物との衝突を回避する位置とし、前記ブレードの非障害物側となる端部においては、当初設定した非障害物側の作業ラインを引き続き形成する位置に維持する回避姿勢の設定、および、前記ブレードの非障害物側端部を当初設定した前記作業ラインを形成する位置に維持しつつ、前記ブレードを車体との干渉防止のため予め設けられた作動制限領域に侵入させることなく、前記回避姿勢へ前記ブレードを駆動する回避経路の設定を行うとともに、前記障害物に対する前記回避開始位置に到達したと判断すると、前記回避経路により、前記ブレードを前記回避姿勢へ駆動して障害物を回避させる回避信号を前記操作弁に出力して回避制御を行ない、また、前記障害物から離脱し、復帰開始位置に到達したと判断すると、前記ブレードを前記回避制御の回避経路とは逆の駆動順序とした復帰経路によって駆動し、前記ブレードの非障害物側端部を設定した前記作業ラインを形成する位置に維持しつつ、前記ブレードを前記作動制限領域に侵入させることなく、前記ブレードの前記障害物側の端部を、当初設定した作業ラインを形成する位置に復帰させる復帰信号を操作弁へ出力して、ブレードの復帰制御を行なう作業車両の作業機制御装置としている。
【００３５】
第９発明によると、予めデジタルマップに書き込まれたブレードと走行作業中に衝突するおそれのある障害物の位置・形状、および、別途備えたＧＰＳから得た現在位置とを用い、前記最も近い障害物側のブレードの端部を、当初設定した作業ラインを形成する位置から離脱させて、前記障害物との衝突を回避する位置とするとともに前記ブレードの非障害物側端部を当初設定した非障害物側の作業ラインを引き続き形成する位置に維持する回避姿勢の設定と、前記ブレードの非障害物側端部を当初設定した作業ラインを形成する位置に維持しつつ、前記ブレードを車体との干渉防止のため予め設けられた作動制限領域に侵入させることなく、前記当初設定した作業ラインを形成する作業姿勢から前記回避姿勢へ前記ブレードを駆動する回避経路の設定を行うとともに、前記障害物に対する回避開始位置に到達したと判断すると、前記作動制限領域への侵入を防止する前記回避経路により、ブレードを回避姿勢へ駆動して障害物を回避させる回避制御を開始する構成であり、また、回避中の前記障害物から離脱し、復帰開始位置に到達したと判断すると、前記ブレードを前記回避制御の回避経路とは逆の駆動順序による復帰経路によって駆動し、前記ブレードの非障害物側端部を当初設定した作業ラインを形成する位置に維持しつつ、前記ブレードを車体との干渉防止のため予め設けられた作動制限領域に侵入させることなく、前記ブレードの障害物側の端部を、当初設定した作業ラインを形成する位置に復帰させる復帰制御を行なう構成であるから、適切な時期に、適切な姿勢で障害物を回避でき、整地や除雪を精度良く効率的に行なえ、またブレードと車体との干渉および非障害物側の突出・引っ込みによる不都合が防止され、オペレータの心理的負担の大幅な軽減が図れる。また、マップ表示装置によりオペレータは暗夜や積雪など障害物を視認できない状況でも障害物の存在を認識出来るので、オペレータの負担軽減が図れる。
【００３６】
第１０発明は、第８又は第９発明の作業車両の作業機制御装置において、前記コントローラは、前記作業機操作手段に備えられた前記回避制御設定手段をオペレータが操作することによって、前記回避制御設定手段操作時における前記ブレードの路面への押付け力を記憶し、前記路面への押付け力を保持させる信号を操作弁へ出力し、前記ブレードの押付け力を制御する作業車両の作業機制御装置としている。
【００３７】
第１０発明によると、第８又は第９発明の効果に加えて、ブレードと路面との押付け力が一定であるため、ブレードと路面との間に不必要なすきまを生じさせたり、ブレードが路面を過大な力で切削してブレードの摩耗や破損を生じさせる恐れがなく、大幅なオペレータの負担軽減が図れ、作業効率も増大する。
【００３８】
第１１発明は、第８又は第９又は第１０発明の作業車両の作業機制御装置において、運転室に音響警報装置を備え、前記コントローラは、前記ブレードを前記回避姿勢へ駆動するに先だって、前記マップ表示装置および前記音響警報装置へ駆動実施信号を出力し、前記ブレードが前記作業ラインに復帰すると前記駆動実施信号の出力を解除する作業車両の作業機制御装置としている。
【００３９】
第１１発明によると、第８又は第９又は第１０発明の効果に加えて、オペレータは暗夜や積雪など障害物を視認できない状況でも、回避動作が開始されること、また、回避姿勢から設定した作業ラインに復帰して一連の回避動作が終了したことを認識できるので、オペレータに違和感を与えずに負担軽減が図れ、作業効率も増大する。
【００４０】
第１２発明は、第８〜第１１発明のいずれかの作業車両の作業機制御装置において、コントローラは、前記作動制限領域への侵入を防止する前記作業機の回避経路の設定を試みても、前記作動制限領域への前記ブレードの侵入が避けられないと判断した場合、直ちに作業機制御装置による前記回避制御および復帰制御を停止して、手動操作可能とし、前記マップ表示装置へ干渉警報を出力し、前記音響警報装置には第９発明とは異なった音響を発生させる干渉警報を出力し、前記制御実施信号の出力を停止する作業車両の作業機制御装置としている。
【００４１】
第１２発明によると、第８〜第１１発明のいずれかの効果に加えて、前記作動制限領域へのブレードの侵入が避けられない場合に、直ちに作業機の駆動を停止するとともに、干渉警報を発令して、オペレータに異なった操作方法で作業機の姿勢を変換させる、方向を修正する、車両を停止させるなど、損傷の発生を防止するための操作を促すことが出来る。
【００４２】
第１３発明は、第８〜第１２発明のいずれかの作業車両の作業機制御装置において、コントローラは、前記障害物への到達所要時間と、前記回避姿勢へ駆動するために必要なブレードの前記駆動所要時間とを演算し、前記障害物の回避が不可能であると判断した場合は、直ちに作業機制御装置による前記回避制御および復帰制御を停止して、手動操作可能とし、前記マップ表示装置へ制御停止警報を出力し、前記音響警報装置には第９発明および第１０発明とは異なった音響を発生させる制御停止警報を出力し、前記制御実施信号の出力を停止する作業車両の作業機制御装置としている。
【００４３】
第１３発明によると、第８〜第１２発明のいずれかの作業車両の作業機制御装置において、前記障害物の回避が不可能である場合、直ちに作業機の駆動を停止するとともに制御停止警報を発令して、オペレータに異なった操作方法で作業機の姿勢を変換させる、方向を修正する、車両を停止させるなど、損傷の発生を防止するための操作を促すことが出来る。
【００４４】
第１４発明は、第８〜第１３発明のいずれかの作業車両の作業機制御装置において、前記コントローラは、オペレータが前記作業機操作手段を操作した信号、あるいは前記回避制御設定手段を解除した信号、あるいは車体進行方向が変化した信号を受信すると、割り込み信号と判断し、直ちにオペレータの手動操作を優先し、作業機制御装置による前記回避制御および復帰制御を解除して、前記マップ表示装置への前記駆動実施信号を解除する作業車両の作業機制御装置としている。
【００４５】
第１４発明によると、第８〜第１３発明のいずれかの効果に加えて、オペレータが本発明の制御方法とは異なった操作方法や異なった設定条件によってブレードを駆動しようと意図した場合、あるいは障害物回避時の制御の中止を意図した場合、直ちにオペレータの手動操作を優先させ、かつ、手動操作可能となったことを報知するので、オペレータは意図した方法により、ストレスを感じることなく迅速に操作を行える。
【００４６】
【発明の実施の形態】
以下本発明に係わる作業車両の作業機制御方法及び作業機制御装置の実施形態について、図面を参照しながら説明する。なお、従来例と同様な部位には同一の符号を付している。
【００４７】
図１は、作業車両の一例であるモータグレーダ１の外観図、図２はその側面図である。図１、図２に於いて、モータグレーダ１の前部フレーム６の前端部にドローバ５が揺動自在に取付けられ、ドローバ５に回転自在に取付けられたサークル４により、ブレード３が横方向に滑動自在に支持されて作業機２を構成している。ドローバ５はリフトシリンダ１１ａ，１１ｂの同期した伸縮によって上下に昇降し、リフトシリンダ１１ａ，１１ｂの異なった伸縮によって上下方向に傾動し、またドローバシフトシリンダ１４の伸縮によって車体進行方向に対して左右に揺動する。サークル４は油圧モータ１３によって駆動され、それによってブレード３はドローバ５に対し車体上方から見て時計方向／反時計方向に回転する。
【００４８】
図３は、ブレード３を、図２とは反対側のモータグレーダ１の後斜め方向から見た図であって、ブレード３はサークル４に支持されたブレードシフトシリンダ１２によりサークル４に対して横方向つまり車体進行方向に対して左右に横送り（シフト）される。
【００４９】
前記のように、ブレード３はドローバ５、サークル４を介して、車体に対する上下の昇降、上下方向の傾動、左右の揺動、回転、左右方向のシフトを行なうことが出来る。
【００５０】
図１、図２に示すように、モータグレーダ１の運転室７の上部にはＧＰＳ２３のアンテナ２３ａが取付けられ、運転室７の内部にはコントローラ２１、デジタルマップ２２、デジタルマップ表示装置２２ａ、音響警報装置３３が備えられている。また、運転席前方の作業機操作装置を示す図４に示すように、運転室７の内部には作業機操作手段３１、回避制御設定手段３２が備えられる。デジタルマップ２２、デジタルマップ表示装置２２ａ、音響警報装置３３は運転席前方中央のハンドル３４の上方に設けられている。また、作業機２には、ブレード３に備えられたブレード３の横送り量検出手段２４と、サークル４の回転中心部に備えられたブレード３の回転角度検出手段２５と、ドローバ取付け部に備えられたドローバ変位量検出手段２６とが備えられる。
【００５１】
図５は、作業機制御装置２０の実施形態を示す系統図である。図５に於いてコントローラ２１には、デジタルマップ２２およびマップ表示装置２２ａと、ＧＰＳ２３とが接続されている。消去および書込自在なデジタルマップ２２には、走行作業中にブレード３と衝突するおそれのある障害物の位置・形状が予め書き込まれ、またＧＰＳ２３から得たモータグレーダ１の現在位置が書き込まれる。マップ表示装置２２ａは、デジタルマップ２２へ書き込まれた障害物の位置・形状、モータグレーダ１の現在位置、コントローラ２１の発信する駆動実施信号、干渉警報、および制御停止警報を表示する。デジタルマップ２２はコントローラ２１の内部に設けても良い。なお、ＧＰＳ２３は現在位置をより正確に把握するために検出位置を補正する補正手段を備えたものでも良い。
【００５２】
図５に於いて、油圧装置１０は、電磁弁１５ａおよび制御器１５ｂで構成される操作弁１５と、油圧アクチュエータである、リフトシリンダ１１ａ，１１ｂ、ブレードシフトシリンダ１２、サークル４を回転させる油圧モータ１３、ドローバシフトシリンダ１４と、油圧発生源である油圧ポンプ１６とを備えている。またオペレータの操作する作業機操作手段３１と、作業機操作手段３１に備えられた回避制御設定手段３２とは制御器１５ｂに接続されている。
【００５３】
図５に於いて、作業機２に備えられたブレード３の横送り量検出手段２４と、ブレード３の回転角度検出手段２５と、ドローバ５の変位検出手段２６と、リフトシリンダ１１ａ，１１ｂの圧力検出手段２８ａ，２８ｂと、車両の駆動装置に備えられた走行速度検出手段４３およびエンジン回転速度検出手段４４とはコントローラ２１に接続されている。また、オペレータの操作する作業機操作手段３１および回避制御設定手段３２は前記操作弁１５の制御器１５ｂを介して前記コントローラ２１に接続されている。また、ハンドル３４が操作された場合に、車両の進行方向である車体進行方向が変化した信号として、ハンドル操作信号を発信する図示しないハンドル操作検出手段が前記コントローラ２１に接続されている。
【００５４】
コントローラ２１は、デジタルマップ２２へ書き込まれた最も近い障害物の位置・形状およびモータグレーダ１の現在位置と、前記各種検出手段である、横送り量検出手段２４と、ブレード回転角度検出手段２５と、ドローバ変位検出手段２６と、リフトシリンダ圧力検出手段２８ａ，２８ｂと、走行速度検出手段４３およびエンジン回転速度検出手段４４と、前記作業機操作手段３１と、回避制御設定手段３２とからの信号に基づき、前記油圧アクチュエータである、リフトシリンダ１１ａ，１１ｂ、ブレードシフトシリンダ１２、サークル４を回転させる油圧モータ１３、ドローバシフトシリンダ１４のそれぞれを制御する信号を操作弁１５の制御器１５ｂに出力する。
【００５５】
オペレータによって前記回避制御設定手段３２が操作されると、コントローラ２１は、本発明の制御を開始し、前記リフトシリンダ１１ａ，１１ｂの前記圧力検出手段２８ａ，２８ｂの検出値を記憶し、リフトシリンダ１１ａ，１１ｂに記憶した圧力を保持させる信号を操作弁１５へ出力し、ブレード３の押付け力を制御する。
【００５６】
図６は、モータグレーダ１の作業状況を上方から見た図で、本発明の作業機の制御方法による障害物の回避状況の一例を示している。モータグレーダ１は図の右から左へ走行しており、ブレード３の両端部のブレード左端３ａ、ブレード右端３ｂにおいて作業ラインＰ３ａ、Ｐ３ｂをそれぞれ形成している。図６に示すように移動中のブレード３の位置を２点鎖線で示している。コントローラ２１が回避開始点Ｐ４に達したと判断すると本発明の回避制御が開始され、ブレード３がモータグレーダ１の車体に干渉しないように設けた作動制限領域Ｐ６への侵入を防止する回避経路Ｐ３ａ’により、ブレード３は回避姿勢Ｐ２へ駆動され、ブレード左端３ａは障害物Ｐ１の幅Ｌ２に対し予め定めた余裕Ｌ３を保って、障害物Ｐ１を回避する。
障害物Ｐ１の長さＬ１を通過し、復帰開始位置Ｐ５に達したとコントローラ２１が判断すると、本発明の復帰制御が開始され、作動制限領域Ｐ６への侵入を防止する回避経路Ｐ３ａ”により、ブレード左端３ａは従前の作業ラインＰ３ａに復帰駆動される。
この間コントローラ２１はブレード右端３ｂを設定した作業ラインＰ３ｂに保持させている。
【００５７】
また、前記回避制御設定手段３２が操作されると、コントローラ２１は、モータグレーダ１の中心線６Ｃに対するブレード３の両端部のブレード左端３ａ、ブレード右端３ｂの位置をそれぞれの端部に於ける作業ラインＰ３ａ，Ｐ３ｂとして設定する。
【００５８】
コントローラ２１は、デジタルマップ２２に書き込まれた障害物の中で、最も近い障害物Ｐ１の位置・形状およびＧＰＳ２３から得たモータグレーダ１の現在位置に基づき、最も近い障害物Ｐ１に対する前記回避姿勢Ｐ２の設定と、作動制限領域Ｐ６への侵入を防止する前記回避経路Ｐ３ａ’の設定とを繰返し行う。
【００５９】
コントローラ２１は、デジタルマップ２２に書き込まれた障害物の中で、最も近い障害物Ｐ１の位置・形状およびＧＰＳ２３から得たモータグレーダ１の現在位置に基づき、ブレード左端３ａが回避開始位置Ｐ４に到達したと判断すると、最も新しい前記回避経路Ｐ３ａ’により、ブレード３を障害物から回避させる回避信号を操作弁１５へ出力してブレード３を最も新しい前記回避姿勢Ｐ２へ駆動し、前記回避姿勢Ｐ２へ到達したと判断すると回避信号の出力を停止する。
【００６０】
コントローラ２１は、デジタルマップ２２に書き込まれた障害物の中で、最も近い障害物Ｐ１の位置・形状およびＧＰＳ２３から得た現在位置に基づき障害物Ｐ１からの復帰開始位置Ｐ５に到達したと判断すると、本発明による前記回避経路Ｐ３ａ’とは逆の駆動順序による復帰経路Ｐ３ａ”によって駆動し、前記障害物Ｐ１側のブレード３のブレード左端３ａを当初設定した作業ラインＰ３ａを形成する位置に復帰させる復帰信号を操作弁１５へ出力して、ブレード左端３ａが当初の作業ラインＰ３ａの位置に、またブレード右端３ｂが当初の作業ラインＰ３ｂの位置になるように、ブレード３を当初の作業ラインに復帰させる。
【００６１】
コントローラ２１は、ブレード３のブレード左端３ａ、ブレード右端３ｂが当初の作業ラインＰ３ａ，Ｐ３ｂにそれぞれ復帰すると、復帰信号を解除して次の障害物の回避を開始する。
また、前記作業機操作手段３１の操作信号あるいは前記回避制御設定手段３２の制御解除信号が入力されると、前記の障害物回避の制御を停止する。
【００６２】
図７のフローチャートに基づき、実施形態における制御方法について、ブレード左端３ａ側に位置する障害物を回避させる例を用いて説明する。なお、ブレード右端３ｂ側に位置する障害物を回避させる場合についても、以下の説明が左右が逆になるのみで、本発明の作業車両の作業機制御方法及び作業機制御装置の作用及び効果についてはなんら変わるところはない。
【００６３】
ステップ５０で、オペレータは図９に示したような、障害物のない作業状態において、作業機操作手段３１に備えられた回避制御設定手段３２を操作して、コントローラ２１に回避制御実施信号を発信する。
【００６４】
ステップ５１で、コントローラ２１は、ブレード３に備えられたブレード３の横送り量検出手段２４と、サークル４の回転中心部に備えられたブレード３の回転角度検出手段２５と、ドローバ取付け部に備えられたドローバ変位量検出手段２６とからの検出信号により、ブレード左端３ａ、ブレード右端３ｂのそれぞれの位置を演算し、図６に示したように、モータグレーダ１の上面から見て、前部フレーム６の中心線６Ｃと平行で、ブレード左端３ａ、ブレード右端３ｂそれぞれ通る作業ラインを作業ラインＰ３ａ，Ｐ３ｂとしてそれぞれ設定する。
【００６５】
また、ステップ５１では、書込および消去自在なデジタルマップ２２に書き込まれた、走行作業中にブレード３と衝突するおそれのある障害物の位置・形状（長さ、幅）および別途備えたＧＰＳ２３から得たモータグレーダ１の現在位置を基に、前記障害物の位置・形状と、デジタルマップ２２へ書き込まれた前記現在位置とをマップ表示装置２２ａによりオペレータに表示させる。ＧＰＳ２３から得たモータグレーダ１の現在位置は、前記前部フレーム６の中心線上で、サークル４の回転中心に相当する位置に換算しており、誤差を少なくしているが、モータグレーダ１の他の適当な箇所を現在位置としても良い。
【００６６】
ステップ５２で、コントローラ２１は、リフトシリンダ１１ａ，１１ｂの圧力検出手段２８ａ，２８ｂにより検出したリフトシリンダ１１ａ，１１ｂのそれぞれの圧力を記憶し、リフトシリンダ１１ａ，１１ｂの圧力を記憶した圧力に保持する信号を操作弁１５へ出力し、ブレード３の押付け力を制御する。
なお、本実施例では圧力検出手段２８ａ，２８ｂを押付け力検出手段として用いているが、リフトシリンダ１１ａ，１１ｂのストローク検出手段や、ブレード３に備えた路面との接触を検出する振動検出手段などにより、押付け力を制御する方法であってもかまわない。
【００６７】
ステップ５３で、コントローラ２１は、モータグレーダ１の現在位置と、デジタルマップ２２に書き込まれた最も近い障害物Ｐ１の位置と、障害物の幅Ｌ２と、予め定めた回避余裕距離Ｌ３と、作業ラインＰ３ａ，Ｐ３ｂの位置とを用い、前記障害物Ｐ１側の前記ブレード３のブレード左端３ａを、前記障害物Ｐ１との余裕距離Ｌ３を保って衝突を回避する位置とし、前記ブレード３の非障害物側のブレード左端３ｂを、当初設定した非障害物側の作業ラインＰ３ｂを引き続き形成する位置に維持するブレード３の両端部のブレード左端３ａ、ブレード右端３ｂの位置をそれぞれ算出して、回避姿勢Ｐ２として設定し、当初設定した作業ラインを形成する位置から回避姿勢Ｐ２へ駆動するのに要する、サークル４の回転角度および、ブレード３の横送り（シフト）量を算出する。
【００６８】
ステップ５４で、コントローラ２１は、ブレード３と車体との干渉を防止するため、当初設定した作業ラインＰ３ａ，Ｐ３ｂを形成する位置から回避姿勢Ｐ２に至る前記サークル４の回転角度を所望の複数の駆動ステップに分割し、サークル４の１駆動ステップごとの回転角度と対応させて、ブレード３のブレード左端３ａは作動制限領域Ｐ６に侵入せず、ブレード右端３ｂは作業ラインＰ３ｂを維持する位置とさせるブレード３の横送り量を所定の誤差範囲で算出し、回避経路Ｐ３ａ’を設定する。
【００６９】
更に、サークル４の回転中心部にブレード３の水平方向の傾きを検出する検出手段４１を設け、サークル４の回転によって変化する路面との相対的な傾き角度を前記駆動ステップごとに補正することもできる。
【００７０】
ステップ５５で、コントローラ２１は、作動制限領域Ｐ６に侵入しない回避経路Ｐ３ａ’が設定できたか否かを判断し、侵入しない場合は次のステップ５６に進み、侵入が発生する場合はステップ７２に進んで、前記回避制御および復帰制御を停止し、手動操作可能とするとともに、前記マップ表示装置２２ａに干渉警報を出力し、前記音響警報装置３３に干渉警報を知らせる音響を発生させる。
【００７１】
ステップ５６で、コントローラ２１は以下の手順により、回避可能か否かを判断する。
（１）エンジン回転速度検出手段４４の検出値から演算して求めたポンプ吐出流量（吐出量可変ポンプを備える油圧装置においてはエンジン回転速度の検出値と傾転角から求める流量、あるいは流量制御機構で制御された流量）と、油圧モータ１６あるいはブレードシフトシリンダ１４の容積と、ステップ５４で設定した回避経路Ｐ３ａ’を形成する前記複数の駆動ステップとを用いて、ブレード３が回避姿勢Ｐ２へ到達するまでのブレードの駆動所用時間を算出する。
【００７２】
（２）デジタルマップ２２に書き込まれた最も近い障害物Ｐ１の位置およびＧＰＳ２３から得たモータグレーダ１の現在位置と、走行速度検出手段４３により検出したモータグレーダ１の走行速度とを用いて算出した障害物Ｐ１までのブレード右端３ａの到達所用時間を求める。
【００７３】
（３）前記ブレード３の駆動所用時間と前記障害物Ｐ１までのブレード右端３ａの到達所用時間とを比較し、ブレード３が障害物Ｐ１を回避可能か否かを判断して、回避可能の場合はステップ５７に進む。また、回避不可能な場合はステップ７１に進んで、回避制御および復帰制御を停止し、手動操作可能とするとともに、マップ表示装置２２ａに制御停止警報を出力し、音響警報装置３３に制御停止警報を知らせる音響を発生させる。
【００７４】
ステップ５７で、コントローラ２１は、デジタルマップ２２に書き込まれた最も近い障害物Ｐ１の位置と、モータグレーダ１の現在位置と、ステップ５６で求めた到達所用時間と、ブレードの駆動所用時間とを比較し、到達所用時間と駆動所用時間とが所望の余裕を持って一致すると、回避開始位置Ｐ４に達したと判断して、前記マップ表示装置２２ａおよび音響警報装置３３に駆動実施信号を出力し、次のステップ５８に進む。回避開始位置に到達していないと判断した場合はステップ５１に戻る。
【００７５】
ステップ５８で、コントローラ２１は、回避信号を操作弁１５の制御器１５ｂに出力して回避駆動を開始し、ステップ５４で設定したサークル４の１駆動ステップ量の回転をさせる。
【００７６】
ステップ５９で、コントローラ２１は、ステップ５４で設定したブレード３の１駆動ステップ量の横送りを行なわせる。
【００７７】
ステップ６０で、コントローラ２１は、ブレード３の横送り量検出手段２４と、ブレード３の回転角度検出手段２５と、ドローバ変位量検出手段２６とからの検出信号により、回避姿勢Ｐ２に到達したか否かを判断し、到達したと判断した場合は次のステップ６１に進み、ブレード３の駆動を停止する。到達していない場合はステップ５８に戻る。
【００７８】
ステップ６２で、コントローラ２１は、ＧＰＳ２３から得た現在位置とデジタルマップに書き込まれた障害物Ｐ１の長さＬ１とから、復帰開始位置Ｐ５に到達したか否かを判断し、到達したと判断した場合は次のステップ６３に進み、到達していない場合はステップ６１に戻り、作業機駆動を停止した状態に維持して、回避姿勢Ｐ２を維持する。
【００７９】
ステップ６３で、コントローラ２１は、復帰信号を操作弁１５の制御器１５ｂに出力して、ステップ５４において設定した複数のステップにつき、回避制御とは逆の作動順序による復帰制御を開始し、ステップ６４では前記ブレード３の１駆動ステップ量の横送りシフトを、ステップ６５では前記サークル４の１駆動ステップ量の回転を行なわせる。
【００８０】
ステップ６６で、コントローラ２１は、ブレード３の横送り量検出手段２４と、ブレード３の回転角度検出手段２５と、ドローバ変位量検出手段２６とからの検出信号により、当初設定した作業ラインＰ３ａ，Ｐ３ｂを形成する位置にブレード３のブレード左端３ａ、ブレード右端３ｂがそれぞれ復帰したか否かを判定し、復帰動作が完了したと判断した場合は次のステップ６７へ進み作業機を停止させる。復帰動作が完了していないと判断した場合はステップ６４に戻り、復帰制御を継続する。
【００８１】
ステップ６８で、コントローラ２１は、復帰動作が完了した時点でオペレータが制御停止信号を発信（あるいは、回避制御設定手段３２を操作して回避制御実施信号を解除）したか否かを判定し、制御停止信号を受けると制御を停止して、直ちに手動操作に切り替え、前記マップ表示装置２２ａおよび音響警報装置３３への駆動実施信号の出力を解除する。制御停止信号がない場合はステップ６９に移行してステップ５１に戻り、次の障害物回避を開始する。
【００８２】
ステップ７０として、コントローラ２１はオペレータが作業機操作手段３１を操作して、回避制御や復帰制御とは異なった作業機操作方法を選択したか、あるいは前記制御停止信号を発信したか、あるいはオペレータがハンドル３４を操作して、図示しないハンドル操作検出手段がハンドル操作信号を、車両の進行方向が変化した信号として発信したかを、割り込み信号として常時監視し、割り込み信号を受けると、直ちにステップ５０からステップ６９までの制御を停止して、手動操作に切り替え、マップ表示装置２２ａおよび音響警報装置３３への駆動実施信号の出力を解除する。
【００８３】
ステップ５４からステップ５９において、ブレード３の回転と横送りを確実に行なえるシーケンシャルな作動を例示したが、回転と横送りを同時に行なえる複合操作油圧機構を用いた制御としても良い。
【００８４】
コントローラ２１に用いるコンピュータを並行処理可能なものとして、ステップ５１からステップ５７までの処理およびステップ７０の処理と、ステップ５８からステップ６９までの処理とを平行して行なわせることも可能である。
【００８５】
また、ブレード３が障害物Ｐ１を回避不可能な場合は、ステップ７１で、図示しない自動ブレーキ装置で作業車両であるモータグレーダ１を自動停止させるように制御しても良い。
【００８６】
本発明にかかわる作業車両の障害物回避時の作業機制御方法と制御装置は、前記のような制御方法および構成としたため、以下のような効果が得られる。
【００８７】
障害物の回避開始位置を判断して、ブレードの障害物側では障害物を回避し、非障害物側では従前の作業ラインを維持し、かつ車体とブレードとの干渉を排除しつつ回避駆動を行い、適切な回避姿勢として障害物を回避させ、また、障害物からの離脱開始位置と判断するとブレードの復帰駆動を開始して、ブレードの非障害物側では従前の作業ラインを維持し、かつ車体とブレードとの干渉を防止しつつ、ブレードの障害物側を従前の作業ラインへ復帰させるので、整地や除雪を適切かつ効率的に行なえ、またブレードと車体との干渉や、非障害物側の突出・引っ込みによる不都合が防止されて、オペレータの心理的負担の大幅な軽減が図れる。
【００８８】
路面へのブレード押付力を一定に制御するため、ブレードと路面との間に不必要なすきまを生じさせたり、ブレードが路面を過大な力で切削してブレードの摩耗や破損を生じさせる恐れがなく、オペレータの負担軽減が図れ、作業効率も増大する。
【００８９】
マップ表示装置によりオペレータは暗夜や積雪など障害物を視認できない状況でも、障害物の存在を認識出来る上に、マップ表示装置および音響警報装置により駆動実施信号を発するので、オペレータは回避動作が開始されることを予期でき、オペレータに違和感を与えることなく負担軽減が図れ、作業効率も増大する。
【００９０】
作動制限領域へのブレードの侵入が避けられない場合は、直ちに作業機の駆動を停止するとともに干渉警報を発令し、障害物の回避が不可能である場合は、直ちに作業機の駆動を停止するとともに制御停止警報を発令し、またオペレータが作業機操作手段を操作するか、あるいは制御停止信号を発信した場合は直ちに作業機の駆動を停止し、手動操作を優先させて、オペレータに異なった操作方法で作業機の姿勢を変換させる、方向を修正する、車両を停止させるなどの操作を促して、損傷を防ぐことができる。
【図面の簡単な説明】
【図１】本発明の制御機能を有する作業車両の一例であるモータグレーダの斜視図である。
【図２】同側面図である。
【図３】モータグレーダの、ブレード横送り（シフト）機構を斜め後部から見た斜視図である。
【図４】モータグレーダの、作業機操作装置である。
【図５】本発明の作業機制御装置の系統図である。
【図６】モータグレーダが、本発明による障害物回避を行なう状況を示した上面図である。
【図７】本発明の、作業機制御方法を説明するフローチャートである。
【図８】従来のモータグレーダの側面図である。
【図９】モータグレーダが、整地／除雪作業を行なう状況の上面図である。
【図１０】モータグレーダが、ブレードを横送りさせて障害物回避を行なう状況の上面図である。
【図１１】モータグレーダが、ブレードを回転させて障害物回避を行なう状況の上面図である。
【符号の説明】
１…モータグレーダ、２…作業機、３…ブレード、３ａ…ブレード左端、３ｂ…ブレード右端、４…サークル、５…ドローバ、６…前部フレーム、７…運転室、９…ブレード横送り（シフト）機構、１０…油圧装置、１１ａ，１１ｂ…リフトシリンダ、１２…ブレードシフトシリンダ、１３…油圧モータ、１４…ドローバシフトシリンダ、１５…操作弁、１５ａ…電磁弁、１５ｂ…制御器、１６…油圧ポンプ、２０…作業機制御装置、２１…コントローラ、２２…デジタルマップ、２２ａ…マップ表示装置、２３…ＧＰＳ（Ｇｌｏｂａｌ　Ｐｏｓｉｔｉｏｎｉｎｇ　Ｓｙｓｔｅｍ）、２３ａ…ＧＰＳアンテナ、２４…横送り量検出手段、２５…回転角度検出手段、２６…ドローバ変位量検出手段、２８ａ，２８ｂ…リフトシリンダ圧力検出手段、３１…作業機操作手段、３２…回避制御設定手段、３３…音響警報装置、４１…水平方向傾き検出手段、４２…振動検出手段、４３…走行速度検出手段、４４…エンジン回転速度検出手段、Ｐ１…障害物、Ｐ２…回避姿勢、Ｐ３ａ…作業ライン（障害物側所望作業ライン）、Ｐ３ａ’…回避経路、Ｐ３ａ”　…復帰経路、Ｐ３ｂ…作業ライン（非障害物側所望作業ライン）、Ｐ４…回避開始点、Ｐ５…復帰開始位置、Ｐ６…作動制限領域、Ｐ７…横送り作業ライン、Ｐ８…回転作業ライン、Ｌ１…障害物の長さ、Ｌ２…障害物の幅、Ｌ３…障害物に対する回避余裕。
【図１】
2004076499.tif 000003
【図２】
2004076499.tif 000004
【図３】
2004076499.tif 000005
【図４】
2004076499.tif 000006
【図５】
2004076499.tif 000007
【図６】
2004076499.tif 000008
【図７】
2004076499.tif 000009
【図８】
2004076499.tif 000010
【図９】
2004076499.tif 000011
【図１０】
2004076499.tif 000012
【図１１】
2004076499.tif 000013